(57)【要約】      （修正有）【課題】本体からツメを容易に且つ確実に除去して、データの書き換え禁止を永続的に実現できるメモリカード及びケースを提供する。【解決手段】本体１０におけるデータの書き換え可能と認識される位置にツメ１１を設け、ツメと本体との境界部分に、Ｖ字形状又はＵ字形状、若しくは円弧形状の溝１２を設けたメモリカードであり、溝１２が表面と裏面の一方又は両方の面に形成されている。またケースにはそのメモリカードのツメ１１を挿入して、そのツメを折って除去する凹部が角部に設けられている。【選択図】図３
0003202055.tif 000002
【実用新案登録請求の範囲】
【請求項１】
半導体素子を内蔵する本体を有するメモリカードであって、
前記本体にはデータの書き換え可能と認識される位置にツメが設けられ、前記本体から前記ツメを除去するための溝が形成されていることを特徴とするメモリカード。
【請求項２】
溝は、本体の表面と裏面の一方の面又は両方の面に形成されていることを特徴とする請求項１記載のメモリカード。
【請求項３】
溝は、ツメと本体の境界部分に形成されていることを特徴とする請求項１又は２記載のメモリカード。
【請求項４】
溝は、Ｖ字形状又はＵ字形状、若しくは円弧形状となっていることを特徴とする請求項１乃至３のいずれか記載のメモリカード。
【請求項５】
溝は、ツメの中央部分に円形状又は楕円形状で形成されていることを特徴とする請求項１又は２記載のメモリカード。
【請求項６】
請求項１乃至４のいずれか記載のメモリカードを収納するケースであって、
メモリカードのツメを挿入し、当該ツメを折って除去する凹部を角部に設けたことを特徴とするケース。
【請求項７】
請求項５記載のメモリカードを収納するケースであって、
メモリカードのツメをセットし、当該ツメの円形状又は楕円形状の溝に穴を開ける突起部を備えることを特徴とするケース。
【考案の詳細な説明】
【技術分野】
【０００１】
本考案は、半導体素子を内蔵するメモリカードに係り、特に、容易に且つ確実に書き換えを禁止できるメモリカード及びケースに関する。
【背景技術】
【０００２】
［先行技術の説明］
従来のメモリカードは、本体の特定位置にツメが形成されており、その特定位置にツメがあることでデータの書き換えが可能となるものであり、その特定位置にツメがないことでデータの書き換えが禁止となるものであった。
具体的には、従来のメモリカードでは、本体と一体にツメが形成されているもの（ツメ一体型タイプ）と、ツメがスライドするもの（ツメスライドタイプ）とがあった。
【０００３】
［ツメ一体型タイプ］
従来のメモリカードで、本体にツメが一体に形成されているツメ一体型タイプでは、ツメの位置は固定であり、その位置にツメが形成されていることで、メモリカードにデータが書き換え可能であると、データの書き込み装置が認識するものである。
【０００４】
［ツメスライドタイプ］
また、従来のツメをスライドさせるツメスライドタイプのメモリカードは、ツメを特定の位置に設定することでデータの書き換えが可能と認識され、ツメをスライドさせることによりデータの書き換えが禁止と認識されるものである。
【０００５】
ツメ一体型タイプの従来のメモリカードでは、ツメが本体に固定されているので、データの書き換えが常時可能と認識されるものである。
もし、ツメ一体型タイプのメモリカードをデータ書き換え禁止にするには、ツメを除去する必要があるが、ツメを折るための構成とはなっていないため、無理にツメを折ろうとすると、本体までも破損してしまうおそれがあった。
【０００６】
また、ツメスライドタイプでは、データの書き換え禁止の位置にツメをスライドできるが、データの書き換え可能の位置にツメをスライドさせて戻してしまうと、データの書き換えを容易に行うことができ、データの書き換えを永続的に禁止できる仕組みとなっていないものであった。
【０００７】
尚、関連する先行技術としては、特開２００３−００６６０３号公報「ＩＣカードおよびこのＩＣカードを有する情報処理装置」（株式会社東芝）［特許文献１］、特開２００４−２５２６７２号公報「メモリカード用アダプタ及びその製造方法」（松下電工株式会社）［特許文献２］がある。
【０００８】
特許文献１には、ＩＣカードをＰＣ等に装着する時に、突出部にかかる曲げ力を逃す構造が示されている。
また、特許文献２には、小型メモリカードを一回り大きな大型のメモリカード用のソケットに接続するための構造が示されている。
【先行技術文献】
【特許文献】
【０００９】
【特許文献１】特開２００３−００６６０３号公報
【特許文献２】特開２００４−２５２６７２号公報
【考案の概要】
【考案が解決しようとする課題】
【００１０】
しかしながら、上記従来のメモリカードでは、書き換え禁止の位置にツメをスライドさせるものはあるが、書き込んだデータに対して、データの書き換えを永続的に禁止させるように、ツメを容易に取り除くことができる構成とはなっていないという問題点があった。
【００１１】
尚、特許文献１及び特許文献２には、メモリカードのデータ書き換え可能／書き換え禁止を制御するツメを容易に除去することについては記載されていない。
【００１２】
本考案は上記実状に鑑みて為されたもので、本体からツメを容易に且つ確実に除去して、データの書き換え禁止を永続的に実現できるメモリカード及びケースを提供することを目的とする。
【課題を解決するための手段】
【００１３】
上記従来例の問題点を解決するための本考案は、半導体素子を内蔵する本体を有するメモリカードであって、本体にはデータの書き換え可能と認識される位置にツメが設けられ、本体からツメを除去するための溝が形成されていることを特徴とする。
【００１４】
本考案は、上記メモリカードにおいて、溝が本体の表面と裏面の一方の面又は両方の面に形成されていることを特徴とする。
【００１５】
本考案は、上記メモリカードにおいて、溝がツメと本体の境界部分に形成されていることを特徴とする。
【００１６】
本考案は、上記メモリカードにおいて、溝がＶ字形状又はＵ字形状、若しくは円弧形状となっていることを特徴とする。
【００１７】
本考案は、上記メモリカードにおいて、溝がツメの中央部分に円形状又は楕円形状で形成されていることを特徴とする。
【００１８】
本考案は、上記メモリカードを収納するケースであって、メモリカードのツメを挿入し、当該ツメを折って除去する凹部を角部に設けたことを特徴とする。
【００１９】
本考案は、上記メモリカードを収納するケースであって、メモリカードのツメをセットし、当該ツメの円形状又は楕円形状の溝に穴を開ける突起部を備えることを特徴とする。
【考案の効果】
【００２０】
本考案によれば、本体にはデータの書き換え可能と認識される位置にツメが設けられ、本体からツメを除去するための溝が形成されているメモリカードとしているので、データの書き換え可能と認識される位置に設けられたツメを溝の部分から容易に且つ確実に除去して、データの書き換え禁止を永続的に実現できる効果がある。
【００２１】
本考案によれば、メモリカードのツメを挿入し、当該ツメを折って除去する凹部を角部に設けた上記メモリカードを収納するケースとしているので、データの書き換え可能と認識される位置に設けられたツメを溝の部分から容易に且つ確実に、更に安全に除去して、メモリカードを永続的にデータの書き換え禁止とすることができる効果がある。
【００２２】
本考案によれば、メモリカードのツメをセットし、当該ツメの円形状又は楕円形状の溝に穴を開ける突起部を備える上記メモリカードを収納するケースとしているので、データの書き換え可能と認識される位置に設けられたツメを溝の部分に容易に且つ確実に、更に安全に穴を開けてツメの一部を除去して、メモリカードを永続的にデータの書き換え禁止とすることができる効果がある。
【図面の簡単な説明】
【００２３】
【図１】本メモリカードの表面の概略を示す全体図である。
【図２】本メモリカードの裏面の概略を示す全体図である。
【図３】（ａ）が表面の詳細図であり、（ｂ）が裏面の詳細図である。
【図４】（ａ）が両面に溝が形成された断面説明図であり、（ｂ）が片面に溝が形成された断面説明図である。
【図５】（ａ）が表面の詳細図であり、（ｂ）が裏面の詳細図である。
【図６】（ａ）がツメ部に溝が形成された構成を示す断面説明図であり、（ｂ）がツメ部の本体内部における特殊な構成を示す断面説明図である。
【図７】（ａ）が楕円形の溝が形成された平面詳細図であり、（ｂ）が楕円形の溝が形成された断面説明図である。
【図８】（ａ）がツメをケースの凹部に挿入した説明図であり、（ｂ）が円形又は楕円形の溝に穴を開けるための説明図であり、（ｃ）が突起部を有するケースの部分断面説明図である。
【考案を実施するための形態】
【００２４】
本考案の実施の形態について図面を参照しながら説明する。
［実施の形態の概要］
本考案の実施の形態に係るメモリカードは、本体におけるデータの書き換え可能が認識される位置に設けられるツメに、本体からツメを除去するための溝を設けたものであり、データの書き換え可能と認識される位置に設けられたツメを容易に且つ確実に除去して、データの書き換えを永続的に禁止することができるものである。
【００２５】
また、本考案の実施の形態に係るメモリカードのケースは、上記メモリカードのツメを挿入し、当該ツメを折って除去する凹部を角部に設けたものであり、データの書き換え可能と認識される位置に設けられたツメを容易に且つ確実に、更に安全に除去して、メモリカードを永続的にデータの書き換え禁止とすることができるものである。
【００２６】
また、本考案の実施の形態に係るメモリカードのケースは、上記メモリカードのツメをセットし、当該ツメに穴を開けてツメの一部を除去する突起部を設けたものであり、データの書き換え可能と認識される位置に設けられたツメの一部を容易に且つ確実に、更に安全に除去して、メモリカードを永続的にデータの書き換え禁止とすることができるものである。
【００２７】
［本メモリカードの構成：図１、図２］
次に、本考案の実施の形態に係るメモリカード（本メモリカード）について図１、図２を参照しながら説明する。図１は、本メモリカードの表面の概略を示す全体図であり、図２は、本メモリカードの裏面の概略を示す全体図である。
本メモリカードは、図１、図２に示すように、表面では本体１０の左側面上側に、裏面では本体１０の右側面上側に書き換え可能及び書き換え禁止を制御するツメ１１が設けられている。
【００２８】
図１，２に示したツメ１１の位置は、書き換え可能と認識される位置にツメ１１が設けられている。図１，２では、ツメ１１はスライドするものではなく、本体１０に一体に形成されており、ツメ１１を本体１０から折って除去することで、書き換え禁止と認識させるものである。
【００２９】
本メモリカードでは、特徴部分として、ツメ１１と本体１０との境目部分に溝１２が形成されている。
溝１２は、本体１０からツメ１１を折って、ツメ１１を容易に除去するために形成されるものである。
具体的な構成については、後述する。
【００３０】
［本メモリカードのツメの詳細構成：図３］
次に、本メモリカードにおけるツメの部分の詳細な構成について図３を参照しながら説明する。図３は、（ａ）が表面の詳細図であり、（ｂ）が裏面の詳細図である。尚、図３に示すツメの構成を「第１のツメ」と称する。
【００３１】
図３（ａ）、図３（ｂ）に示すように、溝１２は、本体１０とツメ１１との境界部分に、表面と裏面を削って形成されている。両面に溝１２を形成することにより、ツメ１１の外側端部を図３の手前と奥行き方向に移動させると、容易にツメ１１を本体１０から折り取ることができ、ツメ１１の除去を簡単に行うことができる。
尚、図３では、溝１２を本体１０の表裏に形成したが、一方の面だけに形成するようにしてもよい。
【００３２】
［溝の構成：図４］
次に、本メモリカードに形成される溝の構成について図４を参照しながら説明する。図４は、（ａ）が両面に溝が形成された断面説明図であり、（ｂ）が片面に溝が形成された断面説明図である。
図４（ａ）に示すように、溝１２が、本体１０とツメ１１の表面と裏面に形成されている。ここで、溝１２は、断面がＶ字形状となっている。溝１２は、断面がＵ字形状であってもよいし、円弧形状であってもよい。
【００３３】
また、図４（ｂ）に示すように、溝１２を一方の面だけに形成するようにしてもよい。この場合、図４（ａ）の溝１２に比べて深い溝とすることができる。一方の面に設ける溝１２も、Ｖ字形状、Ｕ字形状、円弧状であってもよい。
尚、一方の面だけに溝１２を形成する方が、両面に溝を形成する場合に比べて、製造工程を少なくできる。
【００３４】
［第２のツメ：図５］
次に、本メモリカードにおける別のツメ部分の詳細な構成について図５を参照しながら説明する。図５は、（ａ）が表面の詳細図であり、（ｂ）が裏面の詳細図である。尚、図５に示すツメの構成を「第２のツメ」と称する。
図５（ａ）、図５（ｂ）に示すように、溝１２は、本体１０とツメ１１の間に設けられ、表面と裏面の間を貫通している。
【００３５】
図３での溝の一部（図５では中央部）には溝を形成せず、それ以外の溝を貫通させている。
尚、図５では、図３の溝の中央部分に溝を形成していないが、その部分に貫通しない溝を形成するようにしてもよい。この場合、更にツメ１１は本体１０から折りやすくなる。
【００３６】
［スライド式のツメ部分の形状：図６］
これまでは、ツメ１１がメモリカードの本体１０に一体に形成された構成について説明したが、図６では、ツメ部１１'が本体１０から分離し、ツメ部１１'がスライドするタイプについて、特徴的な形状を説明する。図６は、（ａ）がツメ部に溝が形成された構成を示す断面説明図であり、（ｂ）がツメ部の本体内部における特殊な構成を示す断面説明図である。
【００３７】
図６（ａ）に示すように、ツメ部１１'は、本体１０の外側に突出してスライドさせる外部部品と、本体１０内部に組み込まれた断面Ｌ字状の内部部品とから構成されており、本体１０の端部のツメ部１１'に溝１２が形成されている。
ツメ部１１'の表裏に溝１２を形成することで、外部部品を内部部品から折って除去することができる。
【００３８】
また、図６（ｂ）に示すように、ツメ部１１'の内部部品を断面Ｌ字状とはせず、ツメ部１１'が本体１０から自然と抜けないように、内部部品において本体１０の奥方向（図６（ｂ）では右方向）に向かって厚みを大きくしたテーパー部１１ａを形成している。テーパー部１１ａの形状によって、ツメ部１１'が自然と抜け出ることはない。
【００３９】
但し、図６（ｂ）のツメ部１１'の構成であれば、外部部品を引っ張ることで、本体１０の端部が変形して、本体１０からツメ部１１'を容易に引き抜くことができる。
そして、ツメ部１１'の内部部品におけるテーパー部１１ａの形状により、本体１０の端部のツメ部１１'が挿入されていた開口部に、ツメ部１１'の内部部品を挿入して戻そうとしても、内部部品の先端がテーパー状で広がっているため、挿入できず、元には戻すことができない。従って、データの書き込み禁止を永続的に保持できるものである。
【００４０】
［第３のメモリカード：図７］
第３のメモリカードは、データの書き換え可能が認識される位置に円形又は楕円形の溝を形成し、ツメを折るのではなく、ツメに穴を開けて書き込み禁止の状態にするものである。図７は、（ａ）が楕円形の溝が形成された平面詳細図であり、（ｂ）が楕円形の溝が形成された断面説明図である。
【００４１】
図７（ａ）、図７（ｂ）に示すように、書き換え可能が認識される位置（書き換え可能エリア）に形成されたツメ１１に楕円形状の溝１３を形成している。溝１３は、ツメ１１の表面及び裏面の両方の面に形成されており、貫通していないものである。つまり、楕円形状の溝１３は、ツメ１１の中央部分に凹形状で形成されるものである。
【００４２】
この楕円形状の溝１３は、ボールペンのペン先、ドライバーの先端等で押されると、溝１３に穴が開くようになっており、ツメ１１に穴が開くことにより、メモリカードの読み取り／書き込み装置が、書き換え禁止と認識するようになるものである。
ここで、図７では、楕円形状としたが、円形形状であってもよい。また、円形形状又は楕円形状は、一方の面のみに形成するようにしてもよい。
【００４３】
［メモリカードのケース：図８］
次に、本メモリカードに対応したメモリカードのケースについて説明する。図８は、（ａ）がツメをケースの凹部に挿入した説明図であり、（ｂ）が円形又は楕円形の溝に穴を開けるための説明図であり、（ｃ）が突起部を有するケースの部分断面説明図である。
図８に示したケースは、メモリカードを衝撃から保護するプラスチックケースであり、本メモリカード用には透明又は半透明とする方が、使用し易い。
【００４４】
図８（ａ）のケース２０は、ケース２０の角部にツメ１１の一部を挿入させる略三角形状の凹部２１を形成し、ツメ１１が凹部２１に挿入された状態で、ケース２０を図８（ａ）の手前又は奥方向に移動させることで、ツメ１１を溝１２部分で折ることができるようになっている。
【００４５】
従って、凹部２１は、ツメ１１の厚みより若干広く開口しているが、広すぎるとツメ１１を押さえ込めないので、凹部２１にツメ１１が挿入された状態で、隙間が１ｍｍ以下であることが望ましい。
【００４６】
また、凹部２１の角部を三角形の頂点とした場合に、底辺となる、ツメ１１の受け止め部分も、ツメ１１に挿入された場合に、その頂点が溝１２の位置に来るよう調整しておく。
ケースの凹部２１を利用してツメ１１を折ることで、ツメ１１の破片が飛び散るのを防止でき、更に三角形の頂点が溝１２に位置するようになるため、安全に確実に溝１２の部分で折れるものとなる。
【００４７】
図８（ｂ）（ｃ）のケース２０は、ツメ１１に形成された楕円形状の溝１３に穴を開けるためのケースである。
ケース２０の角部には穴を開けるための突起部２２が形成されており、ケースの上蓋２０ａと下蓋２０ｂでツメ１１を挟み込み、突起部２２で楕円形状の溝１３を押さえ込むと、溝１３の部分が陥没して穴が開く仕組みとなっている。
【００４８】
楕円形状の溝１３部分が陥没して穴が開くと、ツメ１１が折られた状態となり、データ書き換え禁止状態としてデータの読み取り／書き込み装置が認識するようになっている。
そして、ケースの上蓋２０ａと下蓋２０ｂ、更に突起部２２を用いて溝１３に穴を開けることで、溝１３の破片が飛び散ることがなく、安全に確実に穴を開けることができる。
【００４９】
［実施の形態の効果］
本メモリカードによれば、本体１０におけるデータの書き換え可能と認識される位置に設けられるツメ１１と本体１０との境界部分に溝１２を設けたものとしているので、データの書き換え可能と認識される位置に設けられたツメ１１を溝１２の部分から容易に且つ確実に除去して、データの書き換え禁止を永続的に実現できる効果がある。
【００５０】
また、本メモリカードのケース２０によれば、メモリカードのツメ１１を挿入して、そのツメ１１を折って除去する凹部２１を角部に設けたものとしているので、データの書き換え可能と認識される位置に設けられたツメ１１を溝１２の部分から容易に且つ確実に、更に安全に除去して、メモリカードを永続的にデータの書き換え禁止とすることができる効果がある。
【００５１】
また、本メモリカードのケース２０によれば、メモリカードのツメ１１をセットし、そのツメ１１の円形状又刃楕円形状の溝１３に穴を開けてツメ１１の一部を除去する突起部２２を設けたものとしているので、データの書き換え可能と認識される位置に設けられたツメ１１の一部を容易に且つ確実に、更に安全に除去して、メモリカードを永続的にデータの書き換え禁止とすることができる効果がある。
【産業上の利用可能性】
【００５２】
本考案は、本体からツメを容易に且つ確実に除去して、データの書き換え禁止を永続的に実現できるメモリカード及びケースに適している。
【符号の説明】
【００５３】
１０...本体、  １１...ツメ、  １１'...ツメ部、  １１ａ...テーパー部、  １２...溝、  １３...溝、  ２０...ケース、  ２１...凹部、  ２２...突起部
【図１】
0003202055.tif 000003
【図２】
0003202055.tif 000004
【図３】
0003202055.tif 000005
【図４】
0003202055.tif 000006
【図５】
0003202055.tif 000007
【図６】
0003202055.tif 000008
【図７】
0003202055.tif 000009
【図８】
0003202055.tif 000010